(57)【特許請求の範囲】
【請求項１】
搬送される基材の表面に塗工ダイにより塗工液を吐出して塗工膜を形成する塗工方法において、
塗工膜にスジ状欠陥が発生した場合、前記塗工ダイの吐出口と前記基材との間に形成される塗工ギャップを、一定時間だけ、通常の塗工位置における塗工ギャップから通常の塗工位置における塗工ギャップより小さく設定されている塗工開始時の塗工ギャップにすることを特徴とする塗工方法。
【請求項２】
請求項１に記載する塗工方法において、
前記一定時間は、塗工ギャップを小さくしてから塗工膜にスジ状欠陥が発生しなくなるまでの時間である
ことを特徴とする塗工方法。
【請求項３】
請求項１又は請求項２に記載する塗工方法において、
通常の塗工位置における塗工ギャップをＧ１、塗工開始時の塗工ギャップをＧ２とすると、Ｇ２／Ｇ１が０．９以下である
ことを特徴とする塗工方法。
【請求項４】
請求項１から請求項３に記載するいずれか１つの塗工方法において、
前記塗工ダイがバックアップロールに対向配置されており、
前記塗工ダイを前記バックアップロールの接線方向へ直線的に移動させて塗工ギャップを小さくする
ことを特徴とする塗工方法。
【発明の詳細な説明】
【技術分野】
【０００１】
本発明は、基材の表面に塗工液を塗工する塗工方法に関する。より詳細には、塗工ダイの吐出口と基材との間の隙間（塗工ギャップ）の調整制御を行う塗工方法に関するものである。
【背景技術】
【０００２】
近年、モータを駆動源として搭載したハイブリッド車両や電気自動車等の電動車両が普及しつつある。こうした電動車両には、充電や放電を行うための二次電池が搭載されている。二次電池の電極には、帯状の金属箔（基材）の表面に活物質、導電補助材、バインダ等を含む塗工液を塗工して乾燥させることにより、塗工膜を形成したものが用いられている。この二次電池では、充電や放電を行う際、正極板の塗工膜に含まれる正極活物質と、負極板の塗工膜に含まれる負極活物質との間で、イオンの吸蔵や放出が行われる。イオンの吸蔵や放出を適切に行うためには、正極板や負極板の表面に適切な塗工幅（基材幅方向の長さ）の塗工膜が形成されている必要がある。
【０００３】
一方、塗工装置としては、バックアップロールにより搬送される基材の表面に、バックアップロールに対向する位置にある塗工ダイにより塗工液を吐出し、塗工するものが知られている。塗工ダイにより形成される塗工膜の塗工幅は、塗工ダイの吐出口と基材との間の隙間（塗工ギャップ）に応じて変化する。
そこで、例えば特許文献１には、塗工ダイにより形成される塗工液の塗工幅を測定し、測定した塗工幅と目標値とを比較した結果に基づいて、塗工ギャップをフィードバック制御する塗工方法が提案されている。この塗工方法によれば、塗工幅の測定値に基づいて塗工ギャップを調整している。
【先行技術文献】
【特許文献】
【０００４】
【特許文献１】特開２００７−２５８０７８号公報
【発明の概要】
【発明が解決しようとする課題】
【０００５】
しかしながら、従来の塗工方法では、図１０に示すように、塗工ダイを待機位置から塗工位置へ移動させて塗工ギャップを小さくしてから、塗工液の吐出を開始して塗工液を基材に塗工し始める。このとき、塗工ダイから塗工液の吐出が開始された直後に、塗工ダイの吐出口と基材との間において、液ビードがうまく形成されずにエアーを巻き込みやすい。そして、エアーを巻き込んでしまうと、図１１に示すように、基材に形成された塗工膜にスジ状欠陥が発生してしまう。このようなスジ状欠陥は、塗工開始時以外にも形成されることがある。そして、このスジ状欠陥が一旦発生してしまうとその部分が乾いてしまい、その後、塗工ダイからの塗工液の吐出量を増やしたとしてもスジ状欠陥を消すことが困難となる。
【０００６】
そこで、本発明は上記した問題点を解決するためになされたものであり、基材上の塗工膜にスジ状欠陥が形成されることを抑制して塗工品質を向上させることができる塗工方法を提供することを目的とする。
【課題を解決するための手段】
【０００７】
上記課題を解決するためになされた本発明の一態様は、搬送される基材の表面に塗工ダイにより塗工液を吐出して塗工膜を形成する塗工方法において、塗工膜にスジ状欠陥が発生した場合、前記塗工ダイの吐出口と前記基材との間に形成される塗工ギャップを、一定時間だけ、通常の塗工位置における塗工ギャップから通常の塗工位置における塗工ギャップより小さく設定されている塗工開始時の塗工ギャップにすることを特徴とする。
【０００８】
この塗工方法では、塗工液を基材に塗工している際に、塗工膜にスジ状欠陥が発生すると、塗工ダイの吐出口と基材との間に形成される塗工ギャップを、一定時間だけ通常の塗工位置における塗工ギャップより小さくする。すなわち、塗工ダイとバックアップロールとが接近する。これにより、塗工ダイの吐出口と基材との間に、確実にビードを形成することができるため、スジ状欠陥を消滅させることができる。その結果、塗工品質を向上させることができる。
なお、塗工膜にスジ状欠陥が発生したか否かの判断は、公知の方向（例えば、センサやカメラ等による検出）により行えば良い。
【０００９】
ここで、上記した塗工方法において、前記一定時間は、塗工ギャップを小さくしてから塗工膜にスジ状欠陥が発生しなくなるまでの時間とすれば良い。
なお、塗工膜にスジ状欠陥が発生しなくなったか否かの判断は、公知の方向（例えば、センサやカメラ等による検出）により行えば良い。あるいは、塗工膜にスジ状欠陥が発生しなくなるまでの時間を予め実験などにより求めておき設定しておいても良い。
【００１０】
このようにすることにより、基材上の塗工膜にスジ状欠陥が形成されることを確実に防止することができる。また、塗工ギャップを小さくしている時間が長くなると、塗工幅の不良が発生してしまうおそれがある。従って、上記のように時間設定することにより、基材上の塗工膜にスジ状欠陥が形成されることを抑制するとともに、塗工幅の不良を発生させないようにすることができる。
【００１３】
ここで、上記した塗工方法において、通常の塗工位置における塗工ギャップをＧ１、塗工開始時の塗工ギャップをＧ２とすると、塗工ギャップ比Ｇ２／Ｇ１が０．９以下であることが望ましい。
【００１４】
このように塗工ギャップＧ２を設定することにより、スジ状欠陥の発生を確実に抑制することができるからである。その結果、塗工不良量を大幅に改善することができ、塗工品質を向上させることができる。なお、塗工ギャップＧ１は既知であるから、上記の関係から塗工ギャップＧ２を簡単に決定することができる。
【００１５】
また、上記したいずれか１つの塗工方法において、前記塗工ダイがバックアップロールに対向配置されており、前記塗工ダイを前記バックアップロールの接線方向へ直線的に移動させて塗工ギャップを小さくすることが望ましい。
【００１６】
塗工ダイがバックアップロールに対向配置され、基材がバックアップロールに沿って搬送される場合には、塗工ダイを基材近づけて塗工ダイを小さくすると、塗工ダイの先端がバックアップロールに接触するおそれがある。そして、このような接触により、塗工不良が発生してしまう。
そこで、上記のように塗工ダイを移動させて塗工ギャップを小さくすることにより、塗工ダイの先端とバックアップロールとの接触を確実に回避することができるので、塗工不良が発生することなく塗工品質を向上させることができる。
【発明の効果】
【００１７】
本発明に係る塗工方法によれば、上記した通り、基材上の塗工膜にスジ状欠陥が形成されることを抑制して塗工品質を向上させることができる。
【図面の簡単な説明】
【００１８】
【図１】塗工装置の概略を示す概略構成図にある。
【図２】塗工ダイを移動させた各位置における塗工ギャップを模式的に示す図である。
【図３】塗工開始時における塗工ギャップの調整制御を説明するためのタイミングチャートである。
【図４】塗工ギャップ比Ｇ２／Ｇ１と塗工膜のスジ不良量との関係を示す図である。
【図５】塗工ギャップ比Ｇ２／Ｇ１＝０．９の場合における着液時間と塗工膜のスジ不良量との関係を示す図である。
【図６】連続塗工中にスジが検出された場合における塗工ギャップの調整制御を説明するためのタイミングチャートである。
【図７】塗工ギャップ比Ｇ２／Ｇ１とスジ消滅率との関係を示す図である。
【図８】変形例における塗工ダイの位置と塗工ギャップとの関係を示す図である。
【図９】塗工ダイをバックアップロールの回転方向下流側に配置した場合における塗工ギャップの調整を行うための塗工ダイの移動方向を説明する図である。
【図１０】従来の塗工方法における塗工ギャップの調整制御を説明するための図である。
【図１１】従来の塗工方法により塗工膜にスジ状欠陥が形成される様子を示す図である。
【発明を実施するための形態】
【００１９】
以下、本発明の塗工方法を具体化した実施の形態について、図面に基づき詳細に説明する。ここでは、電動車両に搭載するリチウムイオン二次電池の製造工程において、電極を形成する基材の表面に塗工液を塗工する場合について例示する。
そこで、まず、本実施の形態に係る塗工方法を実施する塗工装置の概略構成について、図１及び図２を参照しながら簡単に説明する。図１は、塗工装置の概略を示す概略構成図にある。図２は、塗工ダイを移動させた各位置における塗工ギャップを模式的に示す図である。
【００２０】
図１に示すように、塗工装置１０には、基材２０に塗工液２１を塗工する塗工ダイ１１と、基材２０を支持するバックアップロール１２とが備わっている。塗工ダイ１１は、基材２０を介してバックアップロール１２と対向して配置されている。そして、塗工ダイ１１は、塗工液２１を貯蔵する不図示のタンクに接続されている。
【００２１】
塗工ダイ１１には、タンク内の塗工液２１が供給され，その塗工液２１がダイ先端に設けられた吐出口１１ａから基材２０に向けて吐出される。すなわち、塗工ダイ１１は、吐出口１１ａから塗工液２１を吐出しながら、バックアップロール１２の外周面に密着して搬送される基材２０に塗工液２１を塗布する。これにより、基材２０上に塗工膜２１ａが形成されるようになっている。
【００２２】
バックアップロール１２は、その外周面に基材２０を密着して保持している。バックアップロール１２は不図示のモータにより回転駆動されるようになっている。このバックアップロール１２の回転に伴って、基材２０が搬送されるようになっている。なお、バックアップロール１２は、基材２０の搬送に従動して回転するように構成しても良い。
【００２３】
本実施形態では、基材２０としては、アルミ箔や銅箔等の金属箔が用いられている。また、塗工液２１としては、活物質、導電補助材、バインダ、及び溶媒等が混練された導電性ペーストが用いられている。
【００２４】
ここで、塗工ダイ１１には、駆動装置１５が付設されており、バックアップロール１２の軸心に対して近接する方向に移動、または離間する方向に移動可能に保持されている。すなわち、塗工ダイ１１は、バックアップロール１２の径方向（図２に示すＸ方向）に移動するようになっている。そして、駆動装置１５の駆動を制御して塗工ダイ１１を移動させることにより、塗工ダイ１１の吐出口１１ａとバックアップロール１２に保持された基材２０との間に形成される塗工ギャップを調整することができるようになっている。
【００２５】
具体的に本実施の形態では、図２に示すように、塗工ダイ１１の待機位置（図２の破線Ｐ０参照）、塗工位置（図２の実線Ｐ１参照）、及び着液位置（図２の一点鎖線Ｐ２参照）に対応して、塗工ギャップＧ０，Ｇ１，Ｇ２の３段階で調整することができる。そして、塗工ギャップＧ０，Ｇ１，Ｇ２の大きさは、Ｇ０＞Ｇ１＞Ｇ２となっている。
【００２６】
次に、上記した塗工装置１０で塗工開始時に実施される塗工方法について、図２及び図３を参照しながら説明する。図３は、塗工開始時における塗工ギャップの調整制御を説明するためのタイミングチャートである。
【００２７】
塗工前には、図３に示すように、塗工ダイ１１が待機位置（図２の破線Ｐ０参照）に配置されている。このときの塗工ギャップＧ０は、他の配置位置における塗工ギャップＧ１，Ｇ２よりも大きい、つまり最大となっている。そして、塗工が開始されると、時刻ｔ０にて塗工ダイ１１が待機位置から着液位置（図２の一点鎖線Ｐ２参照）へ向かって移動し始める。そして、時刻ｔ１にて塗工ダイ１１が着液位置に達する。その結果、塗工ギャップが小さくなる。すなわち、塗工ギャップがＧ０からＧ２に変わる。これにより、塗工開始時には、通常の塗工時つまり塗工位置よりも塗工ダイ１１とバックアップロール１２とが接近する。
【００２８】
そして、塗工ダイ１１の吐出口１１ａから塗工液２１が基材２０の表面に吐出されて塗布されていく。このとき、塗工ダイ１１の吐出口１１ａと基材２０との間に、確実にビードを幅方向（図面前後方向）に均一に形成することができる。従って、塗工開始時に塗工膜２１ａにスジ状欠陥が発生することを防止することができるため、塗工品質を向上させることができる。
【００２９】
その後、時刻ｔ１から時間（着液時間）Ｔ１が経過した時刻ｔ２にて、塗工ダイ１１が通常の塗工位置（図２の実線Ｐ１参照）に戻され始める。そして、時刻ｔ３にて、塗工ダイ１１が塗工位置に戻り、塗工ギャップがＧ２からＧ１に変わる。なお、時刻ｔ３以降は、塗工ダイ１１は塗工位置にて塗工ギャップＧ１の状態で、基材２０に対して塗工液２１を連続的に吐出する。これにより、基材２０の表面に塗工膜２１ａが形成されていく。
【００３０】
ここで、塗工ギャップＧ２の大きさ、及び塗工ダイ１１を着液位置に留めておく着液時間Ｔ１について、図４及び図５を参照しながら説明する。図４は、塗工ギャップ比Ｇ２／Ｇ１と塗工膜のスジ不良量との関係を示す図である。図５は、塗工ギャップ比Ｇ２／Ｇ１＝０．９の場合における着液時間と塗工膜のスジ不良量との関係を示す図である。
【００３１】
図４から明らかなように、塗工ギャップ比Ｇ２／Ｇ１を小さくしていくと、塗工膜のスジ不良量（スジ状欠陥の発生量）が減少していく傾向があることが判る。そして、塗工ギャップ比Ｇ２／Ｇ１が０．９以下になると、塗工膜のスジ不良量が大幅に減少することが判る。そこで、塗工ギャップ比Ｇ２／Ｇ１が０．９以下となるように塗工ギャップＧ２の大きさを設定すれば良い。これにより、塗工開始時に、塗工膜にスジ状欠陥が発生することを確実に抑制することができる。なお、塗工ギャップＧ１は既知であるから、上記の関係から塗工ギャップＧ２は簡単に決定することができる。
【００３２】
一方、塗工ギャップ比Ｇ２／Ｇ１を０．９より小さくしても、スジ不良量の減少量はあまり変わらないことが判る。また、塗工ギャップ比Ｇ２／Ｇ１を小さくしていくと、塗工ダイとバックアップロールとが接触する可能性が高くなる。そこで、塗工ギャップ比Ｇ２／Ｇ１は、０．５≦Ｇ２／Ｇ１≦０．９の範囲内で設定することが好ましい。これにより、塗工ダイ１１とバックアップロール１２とが接触することを確実に防止しつつ、塗工開始時に、塗工膜にスジ状欠陥が発生することを確実に抑制することができる。
なお、本実施の形態では、塗工ギャップ比はＧ２／Ｇ１＝０．９となっている。
【００３３】
また、図５から明らかなように、着液時間を長くすれば、塗工膜のスジ不良量が減少していく傾向があることが判る。そして、着液時間が０．５秒を超えると、塗工膜のスジ不良量が大幅に減少することが判る。そこで、着液時間、すなわち塗工ギャップを小さくするために塗工ダイ１１を着液位置に留めておく時間Ｔ１は、０．５秒以上とすれば良い。これにより、塗工開始時に、塗工膜にスジ状欠陥が発生することを確実に抑制することができる。なお、塗工ギャップ比Ｇ２／Ｇ１を変化（小さく）しても、着液時間と塗工膜のスジ不良量との関係は、図５と同様の結果が得られた。
【００３４】
一方、着液時間を長くすると、その分だけ塗工位置でない位置（塗工ギャップが小さい状態）での塗工が行われる時間が長くなる。ここで、塗工ギャップが変化すると塗工幅が変化してしまうので、着液時間が長くなると、基材２０の表面に形成される塗工膜２１ａの塗工幅の不良が増加してしまう。
そこで、着液時間Ｔ１は、０．５〜１０秒程度、好ましくは１〜５秒程度に設定すると良い。これにより、塗工開始時に、塗工幅の不良を発生させることなく、塗工膜にスジ状欠陥が発生することを確実に抑制することができる。
なお、本実施の形態では、着液時間Ｔ１は１秒となっている。
【００３５】
続いて、上記した塗工装置１０で連続塗工中にスジが検出（発生）したときに実施される塗工方法について、図２、図６及び図７を参照しながら説明する。図６は、連続塗工中にスジ状欠陥が検出された場合における塗工ギャップの調整制御を説明するためのタイミングチャートである。図７は、塗工ギャップ比Ｇ２／Ｇ１とスジ消滅率との関係を示す図である。
【００３６】
図６に示す時刻ｔ４以前の連続塗工中には、塗工ダイ１１は塗工位置（図２の実線Ｐ１参照）に配置され、塗工ギャップＧ１で塗工ダイ１１の吐出口１１ａから塗工液２１が基材２０の表面に吐出されて塗布されている。このとき、基材２０の表面に形成される塗工膜２１ａの状態が、公知のセンサやカメラ等によって検知されている。
【００３７】
ここで、従来の塗工方法では、連続塗工中に塗工膜にスジ状欠陥が一旦発生してしまうと、その後、スジ状欠陥を消滅させることが困難であった。そこで、本実施の形態では、塗工膜２１ａにスジ状欠陥が発生した場合、そのスジ状欠陥を消滅させるために、以下のような塗工ギャップの調整制御を行う。
【００３８】
すなわち、時刻ｔ４にてスジ状欠陥が検出されると、塗工ダイ１１が塗工位置から着液位置（図２の一点鎖線Ｐ２参照）へ向かって移動し始める。そして、時刻ｔ５にて塗工ダイ１１が着液位置に達する。その結果、塗工ギャップが小さくなる。つまり、塗工ギャップがＧ１からＧ２に変わる。これにより、連続塗工時における塗工位置よりも塗工ダイ１１とバックアップロール１２とが接近するため、塗工ダイ１１の吐出口１１ａと基材２０との間に、確実にビードを幅方向（図面前後方向）に均一に形成することができる。従って、スジ状欠陥を消滅させることができ、塗工品質を向上させることができる。
【００３９】
その後、時刻ｔ５から着液時間Ｔ２が経過した時刻ｔ６にて、塗工ダイ１１が通常の塗工位置（図２の実線Ｐ１参照）に戻され始める。そして、時刻ｔ７にて、塗工ダイ１１が着液位置から塗工位置に戻り、塗工ギャップがＧ２からＧ１に拡げられて、再度、連続塗工が実施される。
【００４０】
ここで、着液位置における塗工ギャップＧ２については、図７に示すように、塗工ギャップ比Ｇ２／Ｇ１を小さくしていくと、スジ消滅率が大きくなる傾向があることが判る。そして、塗工ギャップ比Ｇ２／Ｇ１が０．９以下になると、スジ消滅率が大幅に増加することが判る。これは、図４に示した結果と同様である。そこで、連続塗工中において、スジ状欠陥を消滅させるためには、塗工開始時と同様に、塗工ギャップ比Ｇ２／Ｇ１が０．９以下となるように塗工ギャップＧ２の大きさを設定すれば良い。従って、本実施の形態では、連続塗工中にスジ状欠陥を消滅させる際の塗工ギャップＧ２を、塗工開始時と同様に、塗工ギャップ比がＧ２／Ｇ１＝０．９となるように設定している。
【００４１】
また、着液時間Ｔ２は、塗工膜２１ａにスジ状欠陥が発生しなくなるまでの時間とすれば良い。これにより、塗工膜２１ａにスジ状欠陥が形成されることを確実に防止することができるからである。具体的には、図５に示す結果と同様に、着液時間を長くすれば、スジ消滅率が増加していく傾向があり、着液時間が０．５秒を超えるとスジ消滅率が急激に大きくなる。そこで、着液時間Ｔ２は、着液時間Ｔ１と同様に、０．５〜１０秒程度、好ましくは１〜５秒程度に設定すると良い。これにより、塗工幅の不良を発生させることなく、スジ状欠陥を消滅させることができる。なお、本実施の形態では、着液時間Ｔ２は１秒に設定している。
【００４２】
このように本実施の形態に係る塗工方法では、塗工開始時、及び連続塗工中にスジ状欠陥が検出された（発生した）場合に、塗工ダイ１１を塗工位置Ｐ１よりもバックアップロール１２に近い着液位置Ｐ２に移動させる。これにより、塗工ギャップが通常の塗工位置における塗工ギャップＧ１よりも小さい塗工ギャップＧ２に変わる。その結果、塗工ダイ１１の吐出口１１ａと基材２０との間に、確実にビードを幅方向に均一に形成することができる。従って、塗工開始時に、塗工膜２１ａにスジ状欠陥が形成されることを防止することができる。また、連続塗工中にスジ状欠陥が発生した場合には、スジ状欠陥を消滅させることができる。これらのことから、本実施の形態に係る塗工方法によれば、塗工品質を向上させることができる。
【００４３】
ここで、上記した塗工方法では、塗工ダイ１１をバックアップロール１２の径方向に移動させて塗工ギャップを調整しているが、塗工ダイ１１をバックアップロール１２の接線方向に移動させて塗工ギャップを調整することもできる。そこで、この変形例について、図８を参照しながら説明する。図８は、変形例における塗工ダイの位置と塗工ギャップとの関係を示す図である。
【００４４】
変形例では、図８に示すように、塗工ダイ１１をバックアップロール１２の接線方向に移動させて塗工ギャップを調整している。具体的には、塗工ダイ１１を図８に示すＹ方向（図中上下方向）に移動させる。これにより、バックアップロール１２が円筒形状であるから、塗工ダイ１１の吐出口１１ａと基材２０との間に形成される隙間が変化するため塗工ギャップを調整することができる。この場合、塗工ダイ１１の配置位置は、基材２０の搬送方向（バックアップロール１２の回転方向）上流側（図８では上側）から、一点鎖線で示す着液位置Ｐ２、実線で示す塗工位置Ｐ１、破線で示す待機位置Ｐ０の順で設定されている。
【００４５】
そして、塗工開始時には、塗工ダイ１１を待機位置Ｐ０から着液位置Ｐ２に図中上方向へ移動させ、着液時間Ｔ１が経過すると、着液位置Ｐ２から塗工位置Ｐ１に図中下方向へ移動させる。その後、塗工位置Ｐ１において連続塗工が実施される。この連続塗工中に、スジ状欠陥が検出されると、塗工ダイ１１を塗工位置Ｐ１から着液位置Ｐ２に図中上方向へ移動させ、着液時間Ｔ２が経過すると、着液位置Ｐ２から塗工位置Ｐ１に図中下方向へ移動させる。このように塗工ダイ１１を移動させて塗工ギャップを調整することにより、上記した効果を得ることができる。
【００４６】
以上、詳細に説明したように本実施の形態に塗工方法によれば、塗工開始時、及び塗工中に塗工膜２１ａにスジ状欠陥が発生した場合に、塗工ダイ１１を着液位置Ｐ２へ移動させて、塗工ダイ１１の吐出口１１ａと基材２０との間に形成される塗工ギャップを、一定時間だけ通常の塗工位置Ｐ１における塗工ギャップＧ１より小さい塗工ギャップＧ２に変更する。これにより、塗工ダイ１１の吐出口１１ａと基材２０との間に、確実にビードを形成することができるため、塗工膜２１ａにスジ状欠陥が形成されることを防止することができるため、塗工品質を向上させることができる。
【００４７】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、塗工開始時及びスジ状欠陥が検出された場合の両方で塗工ギャップを制御（小さく）しているが、少なくとも一方の場合において塗工ギャップの制御を行うようにすれば、基材上の塗工膜にスジ状欠陥が形成されることを抑制して塗工品質を向上させることができる。
【００４８】
また、上記した実施の形態では、塗工ダイ１１がバックアップロール１２の高さ方向中央位置に配置されている場合を例示したが、本発明は、塗工ダイ１１がその他の位置に配置されている場合にも適用することができる。例えば、図９に示すように、上記の実施の形態に比べて塗工ダイ１１が基材２０の搬送方向下流側に設けられている場合には、図９のＡ方向又はＢ方向に塗工ダイ１１を移動させて塗工ギャップの調整を行うようにすれば良い。
【００４９】
また、上記した実施の形態では、塗工ダイ１１を着液位置に留めておく着液時間Ｔ２を予め設定しているが、センサ等によりスジ状欠陥が発生しなくなったことを検出したときに、塗工ダイ１１を着液位置から塗工位置に戻すようにしても良い。
【符号の説明】
【００５０】
１０    塗工装置
１１    塗工ダイ
１１ａ  吐出口
１２    バックアップロール
１５    駆動装置
２０    基材
２１    塗工液
２１ａ  塗工膜
Ｇ０    塗工ギャップ（待機位置）
Ｇ１    塗工ギャップ（塗工位置）
Ｇ２    塗工ギャップ（着液位置）
Ｐ０    待機位置
Ｐ１    塗工位置
Ｐ２    着液位置
【図１】
0005742679.tif 000002
【図２】
0005742679.tif 000003
【図３】
0005742679.tif 000004
【図４】
0005742679.tif 000005
【図５】
0005742679.tif 000006
【図６】
0005742679.tif 000007
【図７】
0005742679.tif 000008
【図８】
0005742679.tif 000009
【図９】
0005742679.tif 000010
【図１０】
0005742679.tif 000011
【図１１】
0005742679.tif 000012